(57)【要約】【課題】不定形サイズの原稿でも、指定された定形サイズへ適正変倍し、ファイルに保存する画像形成装置を提供すること。【解決手段】原稿を読み取る読取部２００と、不定形の原稿サイズを検出する原稿サイズ検出部２０３と、出力サイズを設定する制御操作部２０７と、原稿サイズ検出部２０３によって検出された原稿サイズと制御操作部２０７により設定された出力サイズとに基づいて出力倍率を算出する制御回路部２０８と、読取部２０２で読み取られた原稿の大きさを制御回路部２０８で算出された出力倍率で変換する画像処理部２０４と、画像処理部２０４で変換された画像を保存する画像蓄積部２０６とを備え、不定形原稿もサイズが検出可能となるので、定形原稿と同じように、サイズを統一して、画像の欠落や多すぎる余白を作らずにデータとして保存することができる。【選択図】図３
2007306356.tif 000002
【特許請求の範囲】
【請求項１】
原稿から画像データを読み取る読取手段と、不定形の原稿サイズを検出する原稿サイズ検出手段と、出力サイズを設定する出力サイズ設定手段と、前記原稿サイズ検出手段によって検出された原稿サイズと前記出力サイズ設定手段により設定された出力サイズとに基づいて出力倍率を算出する倍率算出手段と、前記読取手段で読み取られた前記原稿の画像データの大きさを前記倍率算出手段で算出された前記出力倍率で変換する画像処理手段と、前記画像処理手段で変換された画像データを保存する保存手段とを備えた画像処理装置。
【請求項２】
前記原稿サイズ検出手段は、前記読取手段が読み取った画像データから原稿端の主走査方向と副走査方向の座標を検出することによって原稿サイズを検出するよう構成したことを特徴とする請求項１記載の画像処理装置。
【請求項３】
前記読取手段が読み取った画像データから、前記原稿の向きがポートレイトかランドスケープかを判断する判断手段を更に有し、
前記読取手段が複数の前記原稿を読み取った際に、前記判断手段が、前記原稿の向きがポートレイトかランドスケープであるかを判断したときに、前記画像処理手段は、前記読取手段で読み取られた前記原稿の画像データの向きを回転させる画像データ回転手段を有することを特徴とする請求項１記載の画像処理装置。
【請求項４】
前記判断手段が、光学式文字読取手段を有し、前記光学式文字読取手段で読み取った前記原稿の読み取り情報から前記原稿の向きがポートレイトかランドスケープであるかを判断することを特徴とする請求項１記載の画像処理装置。
【発明の詳細な説明】
【技術分野】
【０００１】
本発明は、原稿を読み取って所定の出力サイズで保存するスキャナなどの画像処理装置に関する。
【背景技術】
【０００２】
従来の複写装置には、スキャナ機能を有し、オート変倍によって、定形サイズで違う大きさの原稿を任意のサイズに統一して記録紙に出力できるよう構成したものがあった（例えば、特許文献１参照）。また、他の複写装置やプリンターには、不定形原稿を読み取るために、ユーザーが不定形入力用のＸＹのサイズを設定して読み取る方式を採用し、集約編集した画像を記録紙に出力するものや、ユーザーが不定形入力用のＸＹのサイズを設定する代わりに、原稿の地の色と原稿押さえカバーの色の違いにより原稿サイズを読み取る方式を採用したものや、原稿フィーダーのセンサで得た原稿サイズの情報と近い定形サイズを比較してサイズ検知を行うやり方を採用したものが知られている（例えば、特許文献２参照）。
【特許文献１】特開平８−４４２５２号公報
【特許文献２】特開２００５-５５５１３号公報
【発明の開示】
【発明が解決しようとする課題】
【０００３】
しかしながら、上記従来の技術は、複写機やファックス、プリンタを想定したものであり、原稿を読み取って所定の出力サイズで保存するスキャナなどの画像処理装置に用いるには、いくつかの問題がある。
【０００４】
すなわち、定形サイズで違う大きさの原稿を任意のサイズに統一する技術をスキャナなどの画像処理装置に転用したとしても、定形サイズより少し大きい不定形のサイズの原稿を読み込んだ場合、画像の一部が欠落したり、大きめの定形サイズに読んで、余白が多すぎたりする。そのため、不定形サイズと定形サイズの原稿と合わせて、同じサイズのファイルに出力して保存することが困難であった。即ち、定形サイズの原稿に対して、オート変倍を行いファイルに保存することはできるが、不定形サイズの原稿のデータに対して適切な倍率で定形サイズに変倍し、ファイルに保存するということができないという問題がある。
【０００５】
また不定形原稿を読み取る方式についても、従来のユーザーが不定形入力用のＸＹのサイズを設定する方式は、手間がかかるという問題がある。また、原稿の地の色と原稿押さえカバーの色の違いにより原稿サイズを読み取る方式は、カラーペーパーの原稿が用いられたときに原稿の色によっては原稿サイズが正確に読み取れないという問題がある。また、原稿フィーダーを通す方式はスキャナなどの画像処理装置が大掛かりな装置になってしまうという問題がある。
【０００６】
一方で、原稿の使い方には、原稿を縦長に使用する、いわゆるポートレイトとしての使い方と、原稿を横長に使用する、いわゆるランドスケープとしての使い方がある。原稿を読み取って所定の出力サイズで保存するときに、原稿に記載されている文字をはじめとする画像の向きが揃っていることが好ましいという問題がある。
【０００７】
本発明は、かかる問題点に鑑みて為されたものであり、不定形サイズの原稿でも、指定された定形サイズへ適正に変倍し、ファイルに保存するスキャナなどの画像処理装置を提供することを第一の目的とする。そして、原稿を読み取って所定の出力サイズで保存するときに、原稿に記載されている画像の向きが揃うように、指定された定形サイズへ適正に変倍し、ファイルに保存するスキャナなどの画像処理装置を提供することを第二の目的としている。
【課題を解決するための手段】
【０００８】
本発明の画像処理装置は、原稿から画像データを読み取る読取手段と、不定形の原稿サイズを検出する原稿サイズ検出手段と、出力サイズを設定する出力サイズ設定手段と、原稿サイズ検出手段によって検出された原稿サイズと出力サイズ設定手段により設定された出力サイズとに基づいて出力倍率を算出する倍率算出手段と、読み取った原稿の画像データの大きさを算出された出力倍率で画像を変換する画像処理手段と、変換された画像データを保存する保存手段とを備えている。そして、原稿サイズ検出手段は、読取手段が読み取った画像データから原稿端の主走査方向と副走査方向の座標を検出することによって原稿サイズを検出するよう構成している。
【０００９】
この構成によれば、原稿から画像データを読み取る読取手段で、原稿台ガラス面に置いた原稿から画像データを読み取り、不定形の原稿サイズを検出する原稿サイズ検出手段で、不定形の原稿の座標より原稿サイズを検出し、出力サイズを設定する出力サイズ設定手段で、指定サイズの指示があるかないかで出力サイズを決定し、原稿サイズ検出手段によって検出された原稿サイズと出力サイズ設定手段により設定された出力サイズとに基づいて出力倍率を算出する倍率算出手段で、適正倍率を算出し、読み取った原稿の大きさに応じ、算出された出力倍率で画像を変換する画像処理手段で画像を拡大または縮小し、変換された画像データを保存する保存手段で保存するので、不定形原稿も、定形原稿と同じように、サイズを統一して、画像の欠落や多すぎる余白を作らずにデータとして保存することができる。
【００１０】
また、本発明の画像処理装置は、原稿の向きがポートレイトかランドスケープかを判断する判断手段を有し、複数の原稿を読み取った際に、ポートレイトかランドスケープと判断した場合に、読み取られた原稿を回転させる画像データ回転手段を備えている。
【００１１】
この構成によれば、原稿の向きがポートレイトかランドスケープかを判断する判断手段で、原稿の向きを認識し、複数の原稿を読み取った際に、原稿の向きがポートレイトかランドスケープと判断した場合に、読み取られた原稿の画像データを回転させる画像データ回転手段で、読み取った原稿の向きが最初に読み取った原稿と異なる場合には、光学式文字読取装置情報からポートレイトかランドスケープであるかを判断し、結果により画像データを回転し、さらに倍率を計算して指定されたサイズに画像データを保存するので、データを開いてみた時に、原稿の中に複数枚の向きが違う画像が混在していたとしても、ビュワーなどで方向を回転させなくても、スムーズにデータを閲覧することができる。
【００１２】
また、本発明の画像処理装置は、判断手段が、光学式文字読取手段を有し、光学式文字読取手段で読み取った原稿の読み取り情報から原稿の向きがポートレイトかランドスケープであるかを判断する手段を備えている。
【００１３】
これによれば、判断手段が、光学式文字読取手段を有することで、文字の方向を認識し、光学式文字読取手段で読み取った原稿の読み取り情報から原稿がポートレイトかランドスケープであるかを判断することができる。また原稿の向きが同じポートレイト、または同じランドスケープであっても、文字の天地が逆になっている場合は、画像データを１８０度回転させて、文字をはじめとする画像データの天地を揃えることができる。
【発明の効果】
【００１４】
本発明に係る画像形成装置によれば、原稿から画像データを読み取る読取手段と、不定形の原稿サイズを検出する原稿サイズ検出手段と、出力サイズを設定する出力サイズ設定手段と、原稿サイズ検出手段によって検出された原稿サイズと出力サイズ設定手段により設定された出力サイズとに基づいて出力倍率を算出する倍率算出手段と、読取手段で読み取られた原稿の大きさを倍率算出手段で算出された出力倍率で変換する画像処理手段と、画像処理手段で変換された画像を保存する保存手段を備えているので、原稿台ガラス面に定形、不定形のサイズの原稿を載置して、順次読み込ませていけば、不定形の原稿サイズでも、原稿の端などの情報が欠落することなく、定形サイズと同様にユーザーの指定したサイズにサイズ統一をしてファイルに保存することができる。そして、原稿の向きについても揃えた形で、ファイルに保存することができる。
【発明を実施するための最良の形態】
【００１５】
以下、本発明の実施の形態について、図面を参照して説明する。
【００１６】
（実施の形態１）
図１に、本発明による画像処理装置の概略構成を示す模式的な断面図を示す。図１には、原稿から読み取った画像データを保存する複写機を示している。この複写機は、原稿Ａの画像を読み取る原稿読取部１と、ここで生成した画像データに基づいて原稿の画像を記録紙上に形成する画像形成部２と、図示しない画像蓄積部からなっている。
【００１７】
原稿読取部１は、原稿台ガラス３上に載置された原稿に光を照射する光源４と、原稿Ａからの反射光を結像レンズ５に導くミラー６、７、８と、結像レンズ５で結像された光を電気信号に変換するイメージセンサ９とを有している。光源４及びミラー６は第１の読取キャリッジ１１に搭載され、ミラー７、８は第２の読取キャリッジ１２に搭載されており、これら第１及び第２の読取キャリッジ１１、１２は、ワイヤドラム１３及び従動プーリ１４に巻き掛けられたワイヤ１５により副走査方向に牽引駆動される。ワイヤ１５は、第２の読取キャリッジ１２に設けられた半速プーリ１６にも巻き掛けられており、第２の読取キャリッジ１２が第１の読取キャリッジ１１の半分の距離を移動するようになっている。
【００１８】
画像形成部２は、感光体ドラム（像坦持体）２１の周囲に、感光体ドラム２１の作像面を均一に帯電させる帯電器２２と、感光体ドラム２１の作像面上に露光用の光束を照射して静電潜像を形成する光走査装置２３と、感光体ドラム２１の作像面上の静電潜像をトナーで現像する現像プロセスユニット２４と、感光体ドラム２１の作像面を清掃するクリーニングユニット２５とが設けられており、給紙部２６の記録紙が画像形成部２に搬送されて、感光体ドラム２１の作像面上に形成されたトナー像が転写された後、定着部２７を経て排紙部２８に排出される。
【００１９】
なお、上記本発明による画像処理装置を、原稿の画像を読み取って保存するスキャナーとして用いるときには、画像形成部２を動作させないで、原稿読取部１で読み取った画像データを図示しない画像蓄積部に蓄積保存するようにしている。  図２に本発明の実施の形態１における画像処理装置１００の外観を示す斜視図を示す。図２は、画像形成装置の原稿読取部１を上方からみた斜視図であり、画像処理にかかわる各種指示を入力すると共に指示内容を表示する操作パネル１０１と、書類の原稿やブック原稿などを載置する原稿台ガラス３と、原稿を押さえるプラテンカバー１０４があり、プラテンカバー１０４は、原稿台ガラス３に対して開閉可能に取り付けられている。また、原稿台ガラス３を保持する保持枠の奥側には、プラテンカバー１０４の開閉状態を検出する開閉検知センサ１０５が設けられている。操作パネル１０１から、出力サイズを設定するための出力サイズが入力設定され、原稿台ガラス３に載置された原稿のデータは、図１で説明した原稿読取部１によって読み取られる。
【００２０】
図３は、本実施の形態に係る画像処理装置１００の制御系の構成を示すブロック図である。図３において、本実施の形態の画像処理装置１００は、原稿を露光走査するＣＣＤ（Ｃｈａｒｇｅ  Ｃｏｕｐｌｅｄ  Ｄｅｖｉｃｅ）２０１と、ＣＣＤ２０１からのアナログ信号をデジタル化するアナログ／デジタル変換器（Ａ／Ｄ変換器）２０２からなる読取部２００と、原稿端を検知する原稿サイズ検出部２０３と、画像形成処理を行う画像処理部２０４と、処理された画像データをファイルに出力する画像出力部２０５と、ファイルを保存しておく画像蓄積部２０６と、操作パネル１０１にあって、出力サイズ設定のための出力サイズなどについて外部からの指示を受け付ける制御操作部２０７と、プログラムを実行するＣＰＵ２０９と、画像データを一時的に保管するＲＡＭ２１０と、プログラムを格納するＲＯＭ２１１と、ＣＰＵ２０９とＲＡＭ２１０とＲＯＭ２１１を含む制御回路部２０８から構成される。なお、ＣＣＤ２０１は、図１で示したイメージセンサ９に相当する。
【００２１】
ここで、読取部２００は原稿から画像データを読み取る読取手段であり、原稿サイズ検出部２０３は、不定形の原稿サイズを検出する原稿サイズ検出手段である。制御操作部２０７は出力サイズ設定手段として機能する。画像蓄積部２０６は画像データを保存する保存手段である。制御回路部２０８は倍率算出手段であり、画像処理部２０４は画像データを算出された倍率で変換する画像処理手段として機能する。
【００２２】
ＣＣＤ２０１で光電変換された画像信号は、Ａ／Ｄ変換器２０２で階調の変化に応じたデジタル信号に変換される。デジタル信号に変換された画像データは、原稿サイズ検出部２０３に送られ、画像データの濃度変化により原稿端の主走査、副走査方向の座標を検出しその座標データを記憶する。すなわち、プラテンカバーを開いているので、原稿の有る範囲は原稿の素地を読み取り、一般的に白色または薄い色をした画像データとなる。一方、原稿の無いところは、反射光が無いので黒い画像データとなり、原稿の位置あわせをしている稜線を除いて黒い帯状画像データとなる。このコントラストにより、原稿端の座標を特定することができ、特定した座標データを記憶する。
【００２３】
画像処理部２０４にて、シェーディング補正、ガンマ補正や、設定された画像の拡大縮小処理などを行い、２０５の画像出力部で処理された画像データのファイル形式やファイルタイプなどの出力先を選択し、２０６の画像蓄積部に、画像データを保存する。
【００２４】
２０７の制御操作部は、操作パネル１０１の操作によって入力された、ユーザーからの出力サイズの指定、画像出力形式、解像度、ファイル出力先、ファイル名等の情報を伝達する部分である。ユーザーが出力サイズを指定しない場合は指定なしのデータを２０８の制御回路部に伝える。また、開閉検知センサ１０５の開閉角度により原稿サイズ検知機能が実施可能になっているかの情報も、２０７の制御操作部からの情報である。
【００２５】
２０８の制御回路部は、２０９のＣＰＵと、２１０のＲＡＭと、２１１のＲＯＭから構成される。２０９のＣＰＵは、２１１のＲＯＭに格納されたプログラムに従い上記各部の画像処理を実行する。２０７の制御操作部からのデータと、２０３の原稿サイズ検出部からの原稿座標検出結果を元にして、２１１のＲＯＭに格納されたプログラムで、入力画像データへの倍率の算出を行う。
【００２６】
２１０のＲＡＭは、ＣＰＵ２０９の処理において、処理上の一時的なデータの保管に用いられる。２１１のＲＯＭは、上記原稿サイズ検出プログラム、倍率算出プログラム等の画像処理プログラムを記憶する。
【００２７】
図４は、本実施の形態に係る画像処理装置１００の不定形原稿読取時の動作を示すフロー図である。図４に示すようにまず、開閉検知センサ１０５がプラテンカバー１０４の開閉状態を検知して不定形原稿読取機能が実行可能か否かをチェックする。判断の基準は、開閉検知センサ１０５の開閉角度により、プラテンカバー１０４が開いている時は、原稿サイズ検知機能が実行可能になっているとして判断する（ステップＳ１１）。実行可能であれば、次に、操作パネル１０１でのユーザー設定で、原稿サイズ検知機能が有効になっているか否かの判断を行う（ステップＳ１２）。原稿サイズ検知機能が有効である場合、原稿サイズ検知処理が行われる。読取部２００は、プラテンカバー１０４が開いた状態で、原稿台ガラス３の上に置かれた原稿を２回スキャンする。１回目は原稿座標を取得し、２回目で原稿の読み込みが行われる。原稿サイズ検出部２０３は、その一度目のスキャン時に読み取られた画像データから、濃度がある一定の濃度以上あるかを判断し、一番外側の座標を記憶する。読取手段が読み取った画像データから原稿端の主走査方向と副走査方向の座標が検出されると、ＲＯＭ２１１に予め格納したプログラムにより原稿サイズが検出される（ステップＳ１３）。次に、ユーザーからの出力サイズの指定があるか否かのチェックを行う（ステップＳ１４）。出力サイズの指定がある場合（ステップＳ１４のＹｅｓ）、ユーザーからの指定サイズに出力サイズが決定される（ステップＳ１６）。
【００２８】
上記でユーザーからの出力サイズの指定があるか否かのチェックを行い（ステップＳ１４）、サイズ指定がなかった場合（ステップＳ１４のＮｏ）、原稿サイズ検知（ステップＳ１３）の結果より得られた原稿サイズに一番近い定形サイズを検索し（ステップＳ１５）、出力サイズを決定する（ステップＳ１６）。
【００２９】
出力サイズ決定後（ステップＳ１６）、検出された原稿サイズと、決定された出力サイズから、主走査と、副走査の倍率算出処理が行われ、算出された大きさに画像処理される（ステップＳ１７）。その後、ユーザーから指定された、出力形式（ＴＩＦＦ，ＰＤＦ，ＪＰＥＧ，高圧縮ＰＤＦ）にデータを変換し、ユーザーが入力したファイル名でファイルを作成し、画像蓄積部２０６に画像が保存される（ステップＳ１８）。
【００３０】
以上のように、原稿サイズが不定形サイズであっても、出力設定したサイズに画像データの倍率を変換して保存することができる。また、出力する定形サイズを指定しない場合も、自動で不定形原稿サイズに近いものを検索し自動的に拡大または縮小するので、ユーザーは原稿サイズを気にせず読み込むことができる。
【００３１】
上記の実施の形態１では、原稿から読み取った画像データを保存するスキャナーとして使える複写機を示して説明したが、画像形成部２を備えていないスキャナーとして画像処理装置を構成することもできる。
【００３２】
また、図４のフロー図では、原稿サイズ検知機能を実行可能とする前提として、プラテンカバー１０４が開いていることを条件として説明したが、本発明は原稿端の座標を読み取ることで原稿サイズを検出するため、プラテンカバー１０４を開くことにより原稿端の座標の検出がもっとも望ましい形で得られる場合を示したものであり、プラテンカバー１０４の色を原稿の地の色と異なる黒色などにすることにより、プラテンカバー１０４を閉じた状態で、画像データの濃度変化により原稿端の座標を求めて原稿サイズを検出するように画像処理装置を構成してもよい。画像データとして読み込まれたものの中でプラテンカバーの部分に該当する部分は領域が特定でき、除去できるので、この部分がデータとして取り込まれ、ディスプレーに表示したり、印字時などに黒い帯となるといった不都合は発生しない。
【００３３】
（実施の形態２）
次に、本発明の第二の実施の形態にかかる画像処理装置について、図面とともに説明する。本発明の第二の実施の形態にかかる画像処理装置は、複数の原稿に、いわゆる原稿をポートレイトとして使用しているものと、原稿をランドスケープとして使用しているものとが混在していたとしても、原稿の向きを検出して、原稿から読み取った画像データの向きを回転して、所定の向きに揃えるよう構成した点に特徴がある。
【００３４】
図５は、本実施の形態２に係る画像処理装置の制御系の構成を示すブロック図である。図５において、図３と同じ構成要素については同じ符号を用い、説明を省略する。
【００３５】
実施の形態１と異なる点は、本実施の形態が、原稿の文字を読み取ることにより原稿の向きを認識することができるＯＣＲ（Ｏｐｔｉｃａｌ  Ｃｈａｒａｃｔｅｒ  Ｒｅａｄｅｒ、光学式文字読取装置）を有していることである。図５において、ＯＣＲ３００はスキャナで読み取った文字から原稿の向きがランドスケープで置かれて読み取った原稿か、ポートレイトで置かれて読み取った原稿かを見極め、制御回路部２０８に情報を伝える。その情報を元に制御回路部２０８で、１枚目に読んだ原稿の向きのデータと比較し、向きが違っていれば、画像処理部２０４に回転指示をする。
【００３６】
図６は、本実施の形態に係る不定形原稿読取時に、原稿の向きの補正を行って、画像の向きを揃えて出力して保存するまでの動作を示すフロー図である。図６において、図４のフロー図と同じ流れＳ１１〜Ｓ１６までのフローについては、同じ符号を用いて説明を省略する。
【００３７】
本実施の形態においては、出力サイズ決定後（Ｓ１６）は、ＯＣＲ３００にて文字の向きから原稿の向きを検知する（Ｓ２０）。次に１枚目の原稿の時は、読み取った画像データの回転を行わないように決定する。そして、最初に読んだ原稿の向きを記憶しておく。２枚目以降の原稿の時は、記憶しておいた最初に読んだ原稿の向きと比較して回転するかしないかを決定する。２枚目以降の原稿の向きが最初に読んだ原稿の向きと異なっていれば、原稿の向きが揃うように画像データを回転させる（Ｓ２１）。次に、回転の向きを考慮して、決定された出力サイズから、主走査と、副走査の倍率算出処理が行われ、算出された大きさに画像処理される（Ｓ１７）。その後、ユーザーから指定された、出力形式とファイル名にて、画像蓄積先に画像が保存される（Ｓ２２）。
【００３８】
このように、複数の原稿に、いわゆる原稿をポートレイトとして使用しているものと、原稿をランドスケープとして使用しているものとが混在していたとしても、原稿の向きを検出して、原稿から読み取った画像データの向きを回転して、所定の向きに揃えて画像データを保存することができる。
【００３９】
また、原稿の向きを単に同じポートレイト、または同じランドスケープに揃えただけでは、文字をはじめとする画像の天地が逆になっていることもありうるので、本発明では、画像データを９０度回転して縦横を揃えるだけでなく、画像の天地が逆になっているときには画像データを１８０度回転させて、画像データの天地を揃えて保存するようにしている。
【００４０】
以上のようにＯＣＲを備えて、原稿の向きを揃えるようにしているので、原稿台ガラス面に原稿の向きを考えながら置く手間がなくなり、データ化したときに、原稿の向きが統一されるので、ビュアーの回転ボタンを１枚１枚変更せずとも、スムーズなデータの閲覧が可能となる。
【産業上の利用可能性】
【００４１】
本発明に係る画像処理装置によれば、原稿台ガラス面に定形、不定形のサイズの原稿を順次読み込ませていけば、不定形の原稿サイズでも、原稿の端などの情報が欠落することなく、所定の定形サイズにサイズ統一をして保存することができ、多様な原稿を情報の欠落なくデータ化できるのでスキャナなどの画像処理装置に有用である。
【図面の簡単な説明】
【００４２】
【図１】本発明の実施の形態１に係る画像処理装置の概略構成を示す模式的な断面図
【図２】本発明の実施の形態１に係る画像処理装置の外観を示す斜視図
【図３】同実施の形態１に係る画像処理装置の制御系の構成を示すブロック図
【図４】同実施の形態１に係る画像処理装置の動作を示すフロー図
【図５】上記実施の形態２に係る画像処理装置の制御系の構成を示すブロック図
【図６】上記実施の形態２に係る画像処理装置の動作を示すフロー図
【符号の説明】
【００４３】
１    原稿読取部
２    画像形成部
３    原稿台ガラス
１００    画像処理装置
１０１    操作パネル
１０４    プラテンカバー
１０５    開閉検知センサ
２００    読取部
２０１    ＣＣＤ
２０２    Ａ／Ｄ変換器
２０３    原稿サイズ検出部
２０４    画像処理部
２０５    画像出力部
２０６    画像蓄積部
２０７    制御操作部
２０８    制御回路部
２０９    ＣＰＵ
２１０    ＲＡＭ
２１１    ＲＯＭ
３００    ＯＣＲ
【図１】
2007306356.tif 000003
【図２】
2007306356.tif 000004
【図３】
2007306356.tif 000005
【図４】
2007306356.tif 000006
【図５】
2007306356.tif 000007
【図６】
2007306356.tif 000008